(57)【要約】本発明は、携帯用でコードレスなヘア・ドライヤー／ブロワーであって、質量中心線を有し、ブロワー・モータ（２２）および加熱部材（２０）、後端（２６）、および前端（２８）を含む細長い中空の本体部分（１２）を有するヘア・ドライヤー／ブロワーに関する。ハンドル部分（１４）は、細長い本体部分から実質的に横方向へ、その質量中心線に沿って延在する長手方向軸線を有する。このハンドル部分は、加熱部材およびブロワー・モータを作動させるためのスイッチ制御装置（３０）を含む。電源（１６）は平坦な基台および質量中心線を有し、この質量中心線は、ハンドル部分に電源が取付けられるときにハンドルの長手方向軸線および細長い本体部分の質量中心線に実質的に沿って位置し、これにより電力を手動制御装置に供給し、平坦な基台がヘア・ドライヤー／ブロワーを自立させる構造体を構成する。
2004508120.tif 000002
【特許請求の範囲】
【請求項１】
携帯用でコードレスなヘア・ドライヤー／ブロワーであって、
質量中心線を有し、ブロワー・モータおよび加熱部材、後端、および前端を含む細長い中空の本体部分と、
前記細長い本体部分から実質的に横方向へ、前記質量中心線に沿って延在する長手方向軸線を有し、前記加熱部材および前記ブロワー・モータを作動させるためのスイッチ制御装置を含むハンドル部分と、
平坦な基台および質量中心線を有する電源であって、前記ハンドル部分の長手方向軸線に実質的に沿って前記細長い中空本体部分の質量中心線に整合されて前記ハンドル部分に取付けられて、これにより（１）電力を前記手動制御装置に供給し、（２）前記平坦な基台がヘア・ドライヤー／ブロワーを自立させる構造体を構成する前記電源とを含むヘア・ドライヤー／ブロワー。
【請求項２】
前記細長い中空本体部分に流入する空気量を調整するために、前記細長い中空本体部分の後端に調整可能な空気入口をさらに含む請求項１に記載されたヘア・ドライヤー／ブロワー。
【請求項３】
前記調整可能な空気入口が、
前記細長い中空本体部分に最小量の空気を流入させる相互の最小離間状態から、前記細長い中空本体部分に最大量の空気を流入させる相互の最大離間状態まで調整することのできる一連の平行羽根を含む請求項２に記載されたヘア・ドライヤー／ブロワー。
【請求項４】
前記細長い中空本体部分から流出する空気量を調整するために、前記細長い中空本体部分の前端に調整可能な空気出口をさらに含む請求項１に記載されたヘア・ドライヤー／ブロワー。
【請求項５】
前記調整可能な空気出口が、
最小位置から最大位置まで連続して寸法を変えることのできる開口を形成するために、前記細長い中空本体部分の前端に取付けられて相対的に移動可能な花弁状のペタル部分を有する絞り機構と、
前記絞り機構の開口寸法を手動調整できるようにするために前記絞りペタルに連結された調整装置とを含む請求項４に記載されたヘア・ドライヤー／ブロワー。
【請求項６】
前記調整可能な空気出口が、
前記細長い中空本体部分の前端に、圧力嵌めで取付けられる内径寸法とされた少なくとも第１の部分と、
前記前端を超えて延在する第２の部分とを有する中空シリンダを含み、
前記中空シリンダの前記第２の部分の内側に前記調整可能な絞りが形成され、前記絞り調整装置は前記中空シリンダの前記第２の部分の外側に形成されて、前記調整装置を動かすことで前記絞りの開度を手動調整できる請求項５に記載されたヘア・ドライヤー／ブロワー。
【請求項７】
前記ブロワー・モータおよび前記加熱部材を選択的に付勢するために、前記スイッチ制御装置に連結されて制御される電気回路をさらに含む請求項１に記載されたヘア・ドライヤー／ブロワー。
【請求項８】
前記電気回路が、
前記加熱部材および前記ブロワーに対して同時に前記電源を電気的に接続するための少なくとも１つの第１のスイッチと、
前記ブロワー・ファンに対してのみ前記電源を電気的に連結するための少なくとも１つの第２のスイッチとを含む請求項７に記載されたヘア・ドライヤー／ブロワー。
【請求項９】
前記加熱部材と、前記加熱部材に与えられる加熱電流量の制御を可能にする前記スイッチ制御装置との間に接続された加熱制御回路をさらに含む請求項１に記載されたヘア・ドライヤー／ブロワー。
【請求項１０】
前記加熱部材を最小時間内で所望温度に到達させるために前記加熱部材に最大加熱電流を供給するための回路をさらに含む請求項９に記載されたヘア・ドライヤー／ブロワー。
【請求項１１】
最大電流を供給する前記回路が、
加熱部材の温度を検出し、それに応じた電圧を発生するセンサーと、
前記検出電圧を基準電圧と比較し、第１の出力を与える比較器と、
前記第１の出力が与えられている間、前記加熱部材の加熱状態を高めるように最大電圧が連続的に前記加熱部材に印加されることを可能にするために、前記比較器に連結されたベースを有するパワートランジスタとを含む請求項１０に記載されたヘア・ドライヤー／ブロワー。
【請求項１２】
前記所望温度に達した後に前記加熱部材を前記所望温度に維持するために、所定のオン／オフ比でゲート作動パルスを前記パワートランジスタへ供給するために前記パワートランジスタの前記ベースに連結されたパルス発生回路をさらに含む請求項１１に記載されたヘア・ドライヤー／ブロワー。
【請求項１３】
所望温度を維持するために前記加熱部材に電力が供給される所望のオン／オフ比を設定するための手動制御装置をさらに含む請求項１２に記載されたヘア・ドライヤー／ブロワー。
【請求項１４】
パルスを発生するオシレータ回路と、
前記オシレータのパルスを受取る回路と、
それぞれ特定カウント数に関して出力パルスを発生する、前記回路内の多重直列ステージと、
前記加熱部材の所望される温度を得るために前記加熱部材に供給された電力パルス比で前記パワートランジスタの前記所定のオン／オフ比を発生させるために、１つの回路ステージの出力パルスを前記パワートランジスタのベースに選択的に連結する多位置スイッチと、
所望のパルス比に前記スイッチを手動で位置決めする手段とをさらに含む請求項１３に記載されたヘア・ドライヤー／ブロワー。
【請求項１５】
前記加熱部材の前記所望温度を維持するために、前記パワートランジスタに選ばれた比のオン／オフ管理パルスを自動的に付与するパルス発生回路をさらに含む請求項１２に記載されたヘア・ドライヤー／ブロワー。
【請求項１６】
メモリーを有する集積回路制御装置と、
前記メモリーに保存された加熱部材温度対パルス比の関係を示す表とを含み、
前記加熱部材の熱センサーの発生電圧手段が前記集積回路制御装置に連結され、
選ばれた所望温度を維持するために、前記選ばれた比でオン／オフするように前記パワートランジスタを自動的にパルス作動させるための前記多位置スイッチを前記集積回路制御装置が形成している請求項１５に記載されたヘア・ドライヤー／ブロワー。
【請求項１７】
前記パワートランジスタおよび前記加熱部材の間に連結された電圧ステップアップ回路をさらに含み、
前記ゲート作動パルスが前記パワートランジスタへ付与されたときのみ前記電圧のステップアップを可能にするために、前記パルス回路出力が前記電圧ステップアップ回路に連結される請求項１２に記載されたヘア・ドライヤー／ブロワー。
【請求項１８】
前記電源が少なくとも１つの再充電可能バッテリーを含む請求項１に記載されたヘア・ドライヤー／ブロワー。
【請求項１９】
前記バッテリーが前記手動制御装置に少なくとも１４ボルトを印加する請求項１８に記載されたヘア・ドライヤー／ブロワー。
【請求項２０】
前記少なくとも１つのバッテリーの充電のためにＤＣ電圧を印加するために、前記ベースに連可能なＤＣ充電器を含む請求項１８に記載されたヘア・ドライヤー／ブロワー。
【請求項２１】
前記電源の一部を形成するＡＣ／ＤＣ整流回路をさらに含み、
前記少なくとも１つのバッテリーの充電のためにＤＣ電圧が発生されるようにするために、ＡＣ充電回路の出力を前記ＡＣ／ＤＣ整流器が受け入れる請求項１８に記載されたヘア・ドライヤー／ブロワー。
【請求項２２】
前記電源が１つの位置でのみ前記ハンドル部分に取付けできる請求項１に記載されたヘア・ドライヤー／ブロワー。
【請求項２３】
前記細長い中空本体の前端にて流体スプレーを選択的に供給できるようにする流体スプレー装置をさらに含む請求項１に記載されたヘア・ドライヤー／ブロワー。
【請求項２４】
前記流体スプレー装置が、
柔軟な流体容器と、
内部に流体を入れるための前記容器の開口と、
前記容器を前記ブロワー／ドライヤーのハンドルに取付けるために前記容器から延在したストラップと、
一端が少なくとも１つの容器開口に連結され、他端が前記細長い中空本体の形状に沿ってその前端へ延在しており、前記柔軟容器が圧潰されたときに流体を前記細長い中空本体の前端位置でスプレーする細長いチューブとを含んでいる請求項２３に記載されたヘア・ドライヤー／ブロワー。
【請求項２５】
前記流体スプレー装置が、
内部に加圧流体を有する容器を受入れるための前記ハンドル部分内の空間と、
前記ハンドル内空間から前記ブロワー／ドライヤーの前端へ延在する細長いチューブと、
受入れた容器を前記細長いチューブに連結するバルブと、
前記細長い本体の前端位置で流体を選択的にスプレーするために前記バルブを選択的に開閉する手動の発生手段とを含んでいる請求項２３に記載されたヘア・ドライヤー／ブロワー。
【請求項２６】
ブロワー・モータおよび加熱部材、後端、および前端を有する細長い中空本体部分と、
前記細長い本体部分から実質的に横方向へ延在する長手方向軸線を有し、前記加熱部材および前記ブロワー・モータを作動させるためのスイッチ制御装置を含むハンドル部分と、
前記ハンドル部分に取付けられる平坦な基台を有する電源であって、（１）電力を前記手動制御装置に供給し、（２）前記平坦な基台がヘア・ドライヤー／ブロワーを自立させる構造体を構成している電源と、
前記細長い中空本体の前端に流体スプレーを選択的に供給することのできる流体スプレー装置とを含む携帯用でコードレスなヘア・ドライヤー／ブロワー。
【請求項２７】
前記流体スプレー装置が、
柔軟な流体容器と、
内部に流体を入れるための前記容器の開口と、
前記容器をブロワー／ドライヤーの前記ハンドルに取付けるために前記容器から延在したストラップと、
一端が少なくとも１つの容器開口に連結され、他端が前記細長い中空本体の形状に沿ってその前端へ延在しており、前記柔軟容器が圧潰されたときに流体を前記細長い中空本体の前端位置でスプレーする細長いチューブとを含んでいる請求項２６に記載されたヘア・ドライヤー／ブロワー。
【請求項２８】
前記流体スプレー装置が、
内部に加圧流体を有する容器を受入れるための前記ハンドル部分内の空間と、
前記ハンドル内空間から前記ブロワー／ドライヤーの前端へ延在する細長いチューブと、
受入れた容器を前記細長いチューブに連結するバルブと、
前記細長い本体の前端位置で流体を選択的にスプレーするために前記バルブを選択的に開閉する手動の発生手段とを含んでいる請求項２６に記載されたヘア・ドライヤー／ブロワー。
【発明の詳細な説明】
【０００１】
（発明の背景）
１．発明の分野
本発明は、一般にヘア・ドライヤー／ブロワーに係わり、特に、基台上に物理的に自立可能に構成され、また部材によって発生される熱を制御するための電圧調整回路のみならず、可変の空気入口制御装置、可変の空気出口制御装置、および加熱部材が最大量の熱を発生できるようにすると共に、バッテリーの小電力消費時には設定した熱を保持するように加熱部材にパルス付勢する電力制御回路も有する携帯用のヘア・ドライヤー／ブロワーに関する。
【０００２】
（３７ＣＦＲ１．９７および１．９８の下に開示された情報を含む関連技術の説明）
多くのさまざまな形式のヘア・ドライヤー／ブロワーがある。しかしながら、出願人は携帯用のものを知らない。例えば、典型的なヘア・ドライヤーは、米国特許第４１９５２１７号および同第５７０１６８１号に示されている。しかしながら、それらの全てはＡＣコードが取付けられており、携帯用のものでも独立したものでもない。
【０００３】
携帯式で一方の手で保持され、他方の手で、例えば、さまざまなスタイリング・テクニックの創作を助成するために、付加的なスタイリング器具を同時に使用するような操作を自由に行えるヘア・ドライヤー／ブロワーを有することが望まれる。さらに、ヘア・ドライヤー／ブロワーは基台上に自立し、また基台で保持されているときはバランスがとれており、これによりその組合わされた重量が使用者の手首および腕に与える影響を最小限に抑えることで操作の容易性が改良されたヘア・ドライヤー／ブロワーを構成することが望まれる。その場合、最大量の熱を加熱部材が発揮できるようにし、またその後、ブロワー速度および空気の吸込み量および排出量に応じて熱量を容易に保持することができる比率にて加熱部材に供給される電圧または電流をパルス変化させることができるようにして、バッテリー電力を節約することが望ましい。
【０００４】
また、ヘア・ドライヤー／ブロワーの前端部で流体を選択的に供給することができる、ヘア・ドライヤー／ブロワーの一部としてのユニットを提供することも望まれる。
【０００５】
（発明の概要）
従って、本発明は多くの重要な特徴を有するヘア・ドライヤー／ブロワー組立体に関する。第１は、携帯用で独立しており、電熱発生コイルおよびブロワー組立体を含むことである。
【０００６】
さらに、バッテリー組立体は重量があり、ドライヤー／ブロワーのスタンドとして機能し、使用時には全組立体の重量バランスをとる手段となる。
【０００７】
電源は、組み込まれた充電器、またはバッテリー電源に直接に連結して複数のバッテリーを同時に充電するためにＡＣ電力を連結できる整流ユニットのような充電器の一部を含むことができる。
【０００８】
さらに、バッテリーは、壁組立体に連結されて典型的にはＤＣ出力を与える電力変換器から簡単にＤＣ充電されることができる。
【０００９】
バッテリーが一旦固定されたなら、ドライヤー・ハンドルの内部に取付けられること、および正しいやり方でしか挿入できないことが提案される。
【００１０】
また、バッテリーは同じワット数に関して必要とされるよりも少量の長時間にわたる電流供給を可能にするために、正規電圧よりも高いものとされる。
【００１１】
ドライヤーはまた、細長い中空本体部分に流入する空気量を調整するために、その細長い中空本体部分の後端に調整可能な空気入口も有する。この調整可能な空気入口は一連の平行な羽根またはスラットを含み、それらの羽根またはスラットは細長い中空本部分体に最小量の空気を流入させるための相互間の最小離間状態から、細長い中空本体部分に最大量の空気を流入させるための相互の最大離間状態まで調整することができる。
【００１２】
この新規なドライヤー／ブロワーははまた、細長い中空本体部分から流出する空気量を調整するために、細長い中空本体部分の前端に調整可能な空気出口をさらに含む。この調整可能な空気出口はカメラのＦ絞りに類似の調整可能な絞りを含み、単純にリングを回転させることでその絞り弁が互いに接近する方向へ移動されるか、または開く方向へ移動されて、空気の通過する小さい、または大きい開口が形成される。
【００１３】
従って、ドライヤー／ブロワーは、前後端の空気入口および空気出口を調整することでさまざまな体積流量（立方メートル／分（立方フィート／分））にて大気だけを供給できると共に、さまざまな体積流量および温度にて加熱空気を供給する能力を有する。
【００１４】
この新規なドライヤー／ブロワーは、加熱部材に対する電流または電圧をパルス変調して、加熱部材が保有する静熱を使用すると共にその静熱を周期的に補充することができるような仕事サイクルを行わせる回路を有することができる。この利点は、加熱部材の寿命が長くなること、バッテリー寿命が長くなること、充電時期の間の使用性が高められること、および非常に高価な「深放電バッテリー技術（ｄｅｅｐ ｄｉｓｃｈａｒｇｅ ｂａｔｔｅｒｙ ｔｅｃｈｎｏｌｏｇｙ）」 を使用した場合に電流が減少されることである。このパルス発生回路は、加熱ボタンが押された状態の下で作動される。ブロワー・モータは加熱部材に使用されるパルス発生回路とは独立して作動する。
【００１５】
この新規なパルス発生回路は、過昇温度が生じないようにドライヤーを調整または防止する手段を形成して、加熱部材の寿命を延ばす。
【００１６】
従って、本発明の目的は、自立可能な携帯用のコードレスなヘア・ドライヤー／ブロワーを提供することである。
【００１７】
本発明の他の目的は、細長い本体部分、ハンドル部分およびバッテリー基台部分の質量中心線を整合させることで重量バランスがとれ、基台上に自立でき、また使用時に手および腕の適当なバランスがとれるユニットを形成するヘア・ドライヤー／ブロワーを提供することである。
【００１８】
本発明のさらに他の目的は、細長い中空本体部分の後端に配置されて、その本体部分に流入する空気量を調整するための調整可能な空気入口を提供することである。
【００１９】
本発明のさらに他の目的は、細長い中空本体部分の前端に配置されて、その本体部分から流出する空気量を調整するための調整可能な空気出口を提供することである。
【００２０】
また、本発明の他の目的は、細長い中空本体の前端に取付けられ、最小から最大の開口サイズまで制御可能な可変サイズの開口を形成するために互いに対して移動可能な弁部分を有する絞り機構を備えた新規な調整可能な空気出口を提供することである。
【００２１】
本発明のさらに他の目的は、加熱部材と、その加熱部材に供給される加熱電流量の制御を可能にするための制御スイッチとの間に連結される新規な加熱制御回路を提供することである。
【００２２】
また、本発明の目的は、加熱部材の温度を所望温度にまで素早く上昇させるために、加熱部材に最大加熱電流を供給する回路を提供することである。
【００２３】
本発明の他の目的は、所望温度に一旦到達したならば、その温度に加熱部材を保持するように所定のオン／オフ比でパワートランジスタをゲート作動させるために、パワートランジスタのベースに連結されたパルス発生回路を提供することである。
【００２４】
本発明のさらに他の目的は、低温、中温および高温のような所望温度を保持するために、加熱部材に付与される電力の所望のオフ／オン比を設定するための手動制御装置を提供することである。
【００２５】
また、本発明の目的は、加熱部材の所望温度を保持するためにパワートランジスタにオン／オフ管理パルスを自動的に供給するためのパルス発生回路を提供することである。
【００２６】
本発明の他の目的は、加熱部材に電流または電圧を供給するためにパルスがパワートランジスタに付与されたときにだけ、電圧または電流が増大できるセットアップ回路を提供することである。
【００２７】
本発明のさらに他の目的他は、細長い中空本体部分の前端にて流体スプレーを選択的に供給可能にするために、ヘア・ドライヤー／ブロワーに対するアタッチメントを提供することである。
【００２８】
従って、本発明は携帯用でコードレスなヘア・ドライヤー／ブロワーであって、質量中心線を有し、ブロワー・モータおよび加熱部材、後端、および前端を含む細長い中空の本体部分と、この細長い本体部分から実質的に横方向へ質量中心線に沿って延在する長手方向軸線を有し、加熱部材およびブロワー・モータを作動させるためのスイッチ制御装置を含むハンドル部分と、平坦な基台および質量中心線を有する電源であって、ハンドル部分の長手方向軸線に実質的に沿って細長い中空本体部分の質量中心線に整合されてハンドル部分に取付けられ、これにより（１）電力を手動制御装置に供給し、（２）平坦な基台がヘア・ドライヤー／ブロワーを自立させる構造体を構成する前記電源とを含むヘア・ドライヤー／ブロワーに関する。
【００２９】
本発明のこれらのおよび他の特徴は、同じ符号が同じ部材を指している図面の詳細な説明と関連して読むことで完全に理解されるであろう。
【００３０】
（発明の詳細な説明）
図１は新規なヘア・ドライヤー／ブロワー１０の斜視図であり、このヘア・ドライヤー／ブロワーは細長い中空本体部分１２と、ハンドル部分１４と、バッテリー基台部分１６とを含む。留意されることは、細長い中空本体部分１２、ハンドル１４およびバッテリー基台１６の各々の質量中心線１８の全てが整合されてユニット１０のバランスがとれており、ヘア・ドライヤー／ブロワーが基台１６上に自立できるということである。さらに、中空本体部分１２、ハンドル１４および基台１６の質量中心線の整合、および当業者が行うるような中空本体部分１２と基台１６との適当な重量配分によって、使用者の腕および手に最小限の緊張力しか生じることなく、ユニットを使用できるようにバランスがとられていることである。
【００３１】
細長い中空本体部分１２は加熱部材２０と、ブロワー・モータ２２と、パルス発生回路２４とを有しており、パルス発生回路は以下に詳細に説明される。細長い中空本体部分１２はまた、後端２６および前端２８を有する。
【００３２】
ハンドル１４はまた、スイッチ制御ペデスタル３０、および当業者に周知のようにバッテリー／基台ユニット１６をハンドル１４に固定する機構３２を有する。スイッチ制御ペデスタル３０は、通常は緑色であるが望まれる何れかの色とすることのできるダイオード・ライト３４と、ブロワー・モータに対する電力のみ制御するスイッチ３６（Ｓ１）と、ブロワー・モータおよび加熱部材の両方に対する電力を制御するスイッチ３８（Ｓ２）とを含む。手動制御スイッチ４０は、以下に詳細に説明されるが、加熱部材２０で発生することが望まれる熱量を指すために使用者が選択することのできる低、中、高のような多位置を有する。
【００３３】
図２は基台／電力ユニット１６を開示しており、基台／電力ユニットはバッテリー４２と、図１に示されたドライヤー／ブロワー１０のハンドル１４内に挿入できるステム４４と、図１に示されるドライヤー／ブロワー１０のハンドル１４内の適当なターミナル（図示せず）に受止められる電気ターミナル４６とを含む。バッテリー／基台１６は、ステム４４が一方向でのみハンドル１４に挿入できるように構成されることができる。これは、コネクタ４６の片側のスロット４８のように、多くのさまざまな形態を取り得る。他の変形例は、図１に示されるようなハンドル１４内の対応する受け形状内に挿入されるように、ステム４４の横断面を形成することができる。バッテリー／基台１６は図３の装置からの充電コネクタを受止めるコネクタ・ジャック５０を含むことができる。先に説明したように、充電コネクタは、バッテリー／基台１６が整流ユニット５２を有するならば、交流電源からのＡＣ電圧とされることができる。これは、ブロワー／ドライヤー１０に、ならびにドジに充電できる付加的な別ユニットに取付けられている間、充電できるようにする。基台１６の重量は細長い本体部分の重量とバランスをとられる。このバランスどりは、当業者には容易に達成できる。
【００３４】
図３で、プラグイン・ユニット５４はジャック５６，５８にＡＣまたはＤＣのいずれの電圧も発生できることに留意されたい。バッテリー・ユニットがそれ自体に整流ユニット５２を有するならば、図３のジャック５６，５８はＡＣ電圧を発生できる。整流器５２を有さないバッテリー・ユニットが選ばれた場合にはプラグイン・ユニット５４はＡＣ−ＤＣ変換器とされねばならず、ジャック５６，５８はＤＣ電圧を発生させる。
【００３５】
図１で、ハンドル部分１４は、細長い中空本体部分１２から実質的に横方向へ質量中心線１８に沿って延在する長手方向軸線を有することが留意されるであろう。再び述べるが、図１の基台ユニット１６も質量中心線を有しており、ハンドル部分に取付けられたときに、この質量中心線が質量中心線１８の長手方向軸線に沿って実質的に位置し、（１）電力は手動制御装置３０に供給されることができ、（２）平坦な基台１６はヘア・ドライヤー／ブロワーを自立させる構造体を構成する。
【００３６】
図４は図１に示されたブロワー／ドライヤー１０の後端２６の拡大図を示す。留意されることは、複数の調整可能な羽根６０を有し、細長い中空本体部分１２に流入する空気量を調整するために、レバー２７を移動させることで羽根が相対的に接近および離反する方向へ移動されるということである。この調整可能な空気入口は一連の平行羽根６０を含み、それらの羽根は細長い中空本体部分に最小の空気量を流入させる相互の最小離間状態から、細長い中空本体部分１２に最大の空気量を流入させる相互の最大離間状態へ調整することができる。
【００３７】
中空本体部分１２の前端２８もまた図６，図７、図８および図９に関して向上するように調整可能な空気入口を有し、細長い中空本体部分１２から流出する空気量およびコラム幅を調整できる。
【００３８】
図５Ａはブロワー・ファンおよび加熱部材に対する電力を制御する基本電気回路を開示する。この基本回路６２は内部に電池セル４２を、望まれるならば、整流ユニット５２を有するバッテリー基台部分１６を含む。また充電器に対する連結のためのジャック５０も有する。ユニットが電源に差込まれたならば、電力は直ちにＬＥＤ３４へ供給され、ＬＥＤはバッテリーがユニットを作動させるために十分な量の電力を有することを表示する。スイッチ３６（Ｓ１）が押されると、ファン・モータまたはブロワー２２が単独で作動される。スイッチ３８（Ｓ２）が閉じられると、２組の接点が閉じられる。一組の接点は電源をファン２２に連結し、他方の組の接点は、望まれるならばパルス発生回路６４を通して電源を加熱部材２０に連結する。パルス発生回路６４は以下に説明される。
【００３９】
パルス発生回路６４は図５Ｂに詳細に示されている。ユニットがまず最初にオンとされ、スイッチ３８（Ｓ２）が押されると、加熱部材およびブロワー・モータの両方が付勢され、加熱部材はできるだけ素早く加熱されることが望ましい。従って、図５Ｂに示されるように、スイッチ３８が閉じられると、導体３９がトランジスタ６６の入力部に直接に連結される。加熱部材２０の温度は熱電対またはサーミスタのような温度センサーによって監視される。温度センサー６８は比較器７０に連結される。他の基準電圧７２が加熱部材２０の適当または最大加熱温度を表す比較器の他方の入力部に連結される。最初は熱が発生していないので、比較器７０からの出力はない。その信号不在はインバータ・ダイオード７３で検出され、インバータ・ダイオードはトランジスタ６６のベース７８に連結されているライン７６に出力信号を発生して、これを導通させる。従って、全電圧が加熱部材２０に印加され、最小時間内に最大加熱を行う。部材が所望温度に加熱されるや否や、またそれが温度センサー６８で検出されると、比較器７０によって出力信号が発生され、インバータ・ダイオード７３が出力ライン７６上のその信号を取去り、従ってトランジスタ６６のベース７８から連続信号を取去る。このとき、絶縁ダイオード８２でインバータ・ダイオード７３から絶縁されているパルス発生回路８０がトランジスタ６６のベース７８へパルスを供給し、連続電圧を供給せずに、加熱部材２０によって得た熱を保持する。
【００４０】
パルス発生回路８０は図５Ｃに詳細に示されている。オシレータ８４は、米国特許第４５７１５８８号に示されているようなシフト・レジスタ、カウンタ、またはデバイダ回路とされることのできる回路８６へパルスを供給する。単なる例としては、これは４ビットシフト・レジスタとされる。低、中、高の熱を選択するために使用される入力スイッチ４０は、選択されたビット数を回路８６の１つのステージからトランジスタ６６のベース７８に連結し、トランジスタ６６が所定の比でオン／オフするパルスが形成される。一例が図５Ｄに示されている。オシレータは図５Ｄの波形１のパルスを有して示されており、一方、回路８６は波形２で示されるように４入力パルス毎に１つの出力パルスを発生し、これはトランジスタ６６の作動時間に４：１の被が存在することを意味する。回路８６が受取る４パルス毎にトランジスタ６６に対して１回ゲート作動が行われ、トランジスタ６６は１／４の時間だけ加熱部材２０に電力を供給できるようにする。
【００４１】
オシレータ８４がパルスを回路８６へ送る図５Ｅの回路で示されるように、他の比も選ぶことができる。回路８６の４つのステージまたはデバイダの各々の出力位置で、スイッチ（Ｓ１〜Ｓ５）がトランジスタ６６のベース７８に連結される。勿論、スイッチＳ１が高の熱位置に選ばれたならば、ステージ８７で回路８６はパルスを受取る毎に出力を発生し、従って高の熱がトランジスタ６６のベース７８に供給される。スイッチ３を閉じるか、またはスイッチ４０を中の位置にしたならば、第３のステージ８８が選ばれ、スイッチＳ３を経てトランジスタ６６のベース７８へ、オシレータの３番目のパルス毎に、すなわち１：スイッチ３の比でバルブが発生される。同様に、ステージ９０が選ばれ、選定位置スイッチ４０が低の位置であるならば、回路８６に与えられた４番目のパルス毎に計数されて、低の位置のスイッチＳ５を経てトランジスタ６６のベース７８にパルスが発生され、従って１：４の加熱比を有することになる。このような回路は加熱部材２０によって発生された熱量を制御するだけでなく、所定の熱を保持するために周期的な間隔で十分量の熱を簡単に与えられるので、少ない電力要求値にて熱を保持するということが容易に分かる。従って、電力は節約され、ユニットはより大きな経済的効果を得られ、バッテリーの寿命は延長される。
【００４２】
自動温度制御が望まれるならば、図５Ｆの回路が使用される。図５Ｆに見られるように、検出温度をカウンタ８６の出力値と比較する表を保存しているメモリー９４を有する集積回路チップとして集積回路制御装置９２が加えられる。手持ち制御装置４０が低、中、高の位置に設定されると、その位置が集積回路制御装置９２で検出された後、センサー６８からライン９６を経て受取られた実温度が温度表と比較され、カウンタ８６の適当な出力値がトランジスタ６６のベースに与えられて適当な電圧または電流が加熱部材２０に供給されるようになし、加熱部材２０は設定温度に達せられる。
【００４３】
パルスがトランジスタ６６を経て供給される間、加熱部材に対する電流または電圧を増大することが望まれる。従って、図５Ｇで、パルス発生回路８０がパルスをトランジスタ６６のベース７８に供給する毎に、それは電圧または電流のステップアップ装置９８にパルスを供給して、加熱部材２０に対する電流または電圧を増大させる。このような電圧ステップアップ装置は、例えばこの分野で周知の圧電装置とされ、電圧がその装置に一方に向かって与えられたときにステップアップ電圧を発生し、この電圧は圧電装置の他方に向かって検出される。電圧および電流のステップアップ装置はこの分野で周知であり、これ以上本明細書では説明しない。
【００４４】
図５Ｈはどのようにしてパルスが強度を増大するかを示している。通常、パルスは高さ１００であるが、高さ１０２へのステップアップはステップアップ・ユニット９８で行われる。これは、所望の温度までの部材の加熱速度を高める。さらに、そのような増大されたパルスによる所望の熱の保持は、それより高いパルス比が使用できることを意味する。すなわち、単なる例として、５つのうちの１つのパルスが、３または４つのうちの１つのパルスに代えて使用できる。
【００４５】
図６，図７，図８および図９は細長い中空本体部分の前端の調整可能な空気出口装置を開示している。従って、細長い中空本体部分１２の前端２８の外面は調整リング１０４を有しており、このリングは回転されることでドライヤー／ブロワー１０の出口開口の径を制御できる。調整リング１０４の動きは、周知の方法で、絞りを形成する一連の弁を制御して、絞り弁１０６が図７に示されるように全開され、また図８に示されるように周知の方法で最小位置へ閉じる。勿論、このような調整はその時ブロワー／ドライヤーが実行している仕事内容に応じて使用者が必要とすることである。
【００４６】
このような調整装置は、図９に示されるように細長い中空本体部分１２の前端に対して十分に締まり嵌めする内径の少なくとも第１の部分１１０を有する中空円筒部分１０８の形態をした改造カラー１０８とすることができる。これは細長い本体１２の前端２８を超えて延在する第２の部分１１２を有しており、調整可能な絞り１０６は中空円筒部分１０８の第２の部分１１２の内側に形成され、絞り調整リング１０４は中空円筒部分１０８の第２の部分１１２の外部に形成され、調整リングを時計方向または反時計方向に動かすことで絞りの開口を最小径から最大径まで手動で調整することができる。従って、この実施例は既存のドライヤーで使用でき、必要なことは、既存のドライヤーの前端２８にプレス嵌めできる適当寸法の中空円筒部分の第１の部分１１０の内径を有することだけである。
【００４７】
本発明のブロワー／ドライヤーの新規な特徴は図６および図１０に示されている。多くの場合、ブロワー／ドライヤーの使用者は、髪のスタイリングの間に、その過程のさまざまな時点で髪に加湿スプレーを行うことを必要とする。図６に示された実施例では、ハンドル１４は加圧流体を収容したカートリッジ１２６を内部に挿入できるように成形されている。トリガー・ボタン１２８が選択的に押されると、バルブ１３０が多くの周知の方法で開かれて、加圧されている流体がチューブ１２２を通ってブロワー／ドライヤーの外端２８へ噴出される。バルブ１３０は簡単化のためにフラッパ・バルブとして示されている。明らかなように、良く知られた形式の何れのバルブも使用できる。
【００４８】
図１０に示された実施例では、改造された流体スプレー装置１１４がブロワー／ドライヤー・ハンドル１４に着脱可能に取付けられ、ブロワー／ドライヤーの前端２８にて流体スプレーを選択的に供給できる。図１０に見られるように、流体スプレー装置１１４は、内部に流体を挿入するための開閉可能開口１１８を有する柔軟な流体容器１１６と、その容器１１４をハンドル部分１４に取付けるためのストラップ１２０，１２１とを含む。このストラップは、例えばフック−ループ・ストラップとされ得る。柔軟な流体容器１１６から細長いチューブ１２２が延在しており、そのチューブは使用者が柔軟容器１１６を単純に圧潰することでスプレーが噴霧されるブロワー／ドライヤーの外端１２４まで延在している。細長いチューブ１２２は細長い中空本体部分１２の形状に沿って、例えば図示されるように下側をその前端まで延在し、必要に応じて柔軟容器が圧潰されたときに流体が細長い中空本体部分の前端にて放出されるようになされることが好ましい。図６に示された実施例は加圧された容器を説明しているが、当業者には周知のトリガー駆動装置が使用されて、トリガーが押されて解放されたときに流体が容器から吸引されて圧力作用の下で解放されることは明白になるであろう。このような装置は子供の水鉄砲に見られる。
【００４９】
従って、携帯用で独立しており、ブロワー／ドライヤーの後端に可変空気入口制御装置を、また前端に制御可能な空気出口開口を有し、加熱部材温度が制御可能であり、新規のパルス発生回路の使用による手動または自動制御装置を含む新規なヘア・ドライヤー／ブロワーが開示された。この装置はハンドルにストラップ止めできる取付け可能な液体スプレー・ユニットも含み、このユニットは圧潰されたときにドライヤー／ブロワーの外端を通って延在するチューブを通して流体が噴出される。
【００５０】
好ましい実施例が図示され説明されたが、さまざまな変更形および代替例が発明の精神および範囲から逸脱することなく成し得る。従って、本発明は例をあげて非制限的に説明されたことを理解しなければならない。
【００５１】
請求項に記載した対応する構造、材料、作動、および全ての手段または段階に加えて、機能部材は、特に全ての構造、材料、または特に請求されたような他の請求された部材と組合わされる機能を果たす作動を含めることが意図される。
【図面の簡単な説明】
【図１】
本発明の新規なヘア・ドライヤー／ブロワーの斜視図である。
【図２】
図１に示されたドライヤー／ブロワーに取付けることのできる新規なバッテリーの斜視図である。
【図３】
充電のためにバッテリーにＡＣまたはＤＣ電力を供給する変換器の模式図である。
【図４】
ユニットに対する流入空気量を調整するための、ヘア・ドライヤー／ブロワーの細長い中空本体部分の後端の調整可能な羽根を示す。
【図５Ａ】
ブロワー・ファンおよび加熱部材に対する電力を制御するための制御回路のブロック線図である。
【図５Ｂ】
加熱部材を素早く加熱した後、熱を保持するためにパルス化した電流または電圧を供給する回路の一実施例を示す回路である。
【図５Ｃ】
図５Ｂに示されたパルス発生回路の詳細を示す。
【図５Ｄ】
波形１で振動出力を、また波形２で加熱部材にパルスを供給するための１：４比を示す回路出力をそれぞれ示す。
【図５Ｅ】
手動スイッチ制御装置が高、中、低に設定されて、加熱部材に電圧および電流を供給するパワートランジスタに対してパルスおよびパルス比を与える出力回路の模式図である。
【図５Ｆ】
革新的な制御回路を使用し、自動的に所望温度を保持するためにパワートランジスタにパルスを供給する回路を示す。
【図５Ｇ】
加熱部材にパルスが供給されるときにのみ電圧または電流をステップアップさせる回路を示す。
【図５Ｈ】
図５Ｇの回路で加熱部材に供給されるステップアップ電圧パルスを示す。
【図６】
ヘア・ドライヤー／ブロワーの斜視図であって、ブロワーのノズルまたは前端部分から流出する空気量を制御し、一部として形成された流体供給ユニットを含んでいる前端部分の装置を示す。
【図７】
図６の調整リングで制御される絞りを、広く開いた位置で示す。
【図８】
図６の調整リングで調整される最小に閉じた位置で絞りを示す。
【図９】
改善された方法でドライヤーの排出前端ノズルに取付けることのできる図６、図７および図８に示された形式の調整装置を示す。
【図１０】
改善した方法でハンドル部分に連結されることができ、ブロワー／ドライヤーの前端へ延在するノズルを有する流体供給器を有し、柔軟な容器が圧潰されるとブロワー／ドライヤーの前端、すなわち前側端部に沿って流体を放出できる新規なブロワー／ドライヤーの斜視図である。
【図５Ａ】
2004508120.tif 000003
【図５Ｃ】
2004508120.tif 000004
【図５Ｄ】
2004508120.tif 000005
【図５Ｅ】
2004508120.tif 000006
【図５Ｆ】
2004508120.tif 000007
【図５Ｇ】
2004508120.tif 000008
【図５Ｈ】
2004508120.tif 000009
【国際公開パンフレット】
2004508120.tif 000010
2004508120.tif 000011
2004508120.tif 000012
2004508120.tif 000013
2004508120.tif 000014
2004508120.tif 000015
2004508120.tif 000016
2004508120.tif 000017
2004508120.tif 000018
2004508120.tif 000019
2004508120.tif 000020
2004508120.tif 000021
2004508120.tif 000022
2004508120.tif 000023
2004508120.tif 000024
2004508120.tif 000025
2004508120.tif 000026
2004508120.tif 000027
2004508120.tif 000028
2004508120.tif 000029
2004508120.tif 000030
2004508120.tif 000031
2004508120.tif 000032
2004508120.tif 000033
2004508120.tif 000034
2004508120.tif 000035
2004508120.tif 000036
2004508120.tif 000037
【手続補正書】
【提出日】平成14年10月11日(2002.10.11)
【手続補正１】
【補正対象書類名】明細書
【補正対象項目名】特許請求の範囲
【補正方法】変更
【補正の内容】
【特許請求の範囲】
【請求項１】
携帯用でコードレスなヘア・ドライヤー／ブロワーであって、
質量中心線を有し、ブロワー・モータおよび加熱部材、後端、および前端を含む細長い中空の本体部分と、
前記細長い本体部分から実質的に横方向へ、前記質量中心線に沿って延在する長手方向軸線を有し、前記加熱部材および前記ブロワー・モータを作動させるためのスイッチ制御装置を含むハンドル部分と、
平坦な基台および質量中心線を有する電源であって、前記ハンドル部分の長手方向軸線に実質的に沿って、前記細長い中空本体部分の質量中心線に整合されて前記ハンドル部分に取付けられ、これにより電力を前記手動制御装置に供給し、前記平坦な基台がヘア・ドライヤー／ブロワーを自立させる構造体を構成する前記電源と、
前記細長い中空本体部分に流入する空気量を調整するために、前記細長い中空本体部分の後端に調整可能な空気入口とを含むヘア・ドライヤー／ブロワー。
【請求項３】
前記調整可能な空気入口が、
前記細長い中空本体部分に最小量の空気を流入させる相互の最小離間状態から、前記細長い中空本体部分に最大量の空気を流入させる相互の最大離間状態まで調整することのできる一連の平行羽根を含む請求項１に記載されたヘア・ドライヤー／ブロワー。
【請求項４】
前記細長い中空本体部分から流出する空気量を調整するために、前記細長い中空本体部分に前端の調整可能な空気出口をさらに含む請求項１に記載されたヘア・ドライヤー／ブロワー。
【請求項５】
前記調整可能な空気出口が、
最小位置から最大位置まで連続して寸法を変えることのできる開口を形成するために、前記細長い中空本体部分の前端に取付けられて相対的に移動可能な花弁状のペタル部分を有する絞り機構と、
前記絞り機構の開口寸法を手動調整できるようにするために前記絞りペタルに連結された調整装置とを含む請求項４に記載されたヘア・ドライヤー／ブロワー。
【請求項６】
前記調整可能な空気出口が、
前記細長い中空本体部分の前端に、圧力嵌めで取付けられる内径寸法とされた少なくとも第１の部分と、
前記前端を超えて延在する第２の部分とを有する中空シリンダを含み、
前記中空シリンダの前記第２の部分の内側に前記調整可能な絞りが形成され、前記絞り調整装置は前記中空シリンダの前記第２の部分の外側に形成されて、前記調整装置を動かすことで前記絞りの開度を手動調整できる請求項５に記載されたヘア・ドライヤー／ブロワー。
【請求項７】
前記ブロワー・モータおよび前記加熱部材を選択的に付勢するために、前記スイッチ制御装置に連結されて制御される電気回路をさらに含む請求項１に記載されたヘア・ドライヤー／ブロワー。
【請求項８】
前記電気回路が、
前記加熱部材および前記ブロワーに対して同時に前記電源を電気的に接続するための少なくとも１つの第１のスイッチと、
前記ブロワー・ファンに対してのみ前記電源を電気的に連結するための少なくとも１つの第２のスイッチとを含む請求項７に記載されたヘア・ドライヤー／ブロワー。
【請求項９】
前記加熱部材と、前記加熱部材に与えられる加熱電流量の制御を可能にする前記スイッチ制御装置との間に接続された加熱制御回路をさらに含む請求項１に記載されたヘア・ドライヤー／ブロワー。
【請求項１０】
前記加熱部材を最小時間内で所望温度に到達させるために前記加熱部材に最大加熱電流を供給するための回路をさらに含む請求項９に記載されたヘア・ドライヤー／ブロワー。
【請求項１１】
最大電流を供給する前記回路が、
加熱部材の温度を検出し、それに応じた電圧を発生するセンサーと、
前記検出電圧を基準電圧と比較し、第１の出力を与える比較器と、
前記第１の出力が与えられている間、前記加熱部材の加熱状態を高めるように最大電圧が連続的に前記加熱部材に印加されることを可能にするために、前記比較器に連結されたベースを有するパワートランジスタとを含む請求項１０に記載されたヘア・ドライヤー／ブロワー。
【請求項１２】
前記所望温度に達した後に前記加熱部材を前記所望温度に維持するために、所定のオン／オフ比でゲート作動パルスを前記パワートランジスタへ供給するために前記パワートランジスタの前記ベースに連結されたパルス発生回路をさらに含む請求項１２に記載されたヘア・ドライヤー／ブロワー。
【請求項１３】
所望温度を維持するために前記加熱部材に電力が供給される所望のオン／オフ比を設定するための手動制御装置をさらに含む請求項１２に記載されたヘア・ドライヤー／ブロワー。
【請求項１４】
パルスを発生するオシレータ回路と、
前記オシレータのパルスを受取る回路と、
それぞれ特定カウント数に関して出力パルスを発生する、前記回路内の多重直列ステージと、
前記加熱部材の所望される温度を得るために前記加熱部材に供給された電力パルス比で前記パワートランジスタの前記所定のオン／オフ比を発生させるために、１つの回路ステージの出力パルスを前記パワートランジスタのベースに選択的に連結する多位置スイッチと、
所望のパルス比に前記スイッチを手動で位置決めする手段とをさらに含む請求項１３に記載されたヘア・ドライヤー／ブロワー。
【請求項１５】
前記加熱部材の前記所望温度を維持するために、前記パワートランジスタに選ばれた比のオン／オフ管理パルスを自動的に付与するパルス発生回路をさらに含む請求項１２に記載されたヘア・ドライヤー／ブロワー。
【請求項１６】
メモリーを有する集積回路制御装置と、
前記メモリーに保存された加熱部材温度対パルス比の関係を示す表とを含み、
前記加熱部材の熱センサーの発生電圧手段は前記集積回路制御装置に連結され、
選ばれた所望温度を維持するために、前記選ばれた比でオン／オフするように前記パワートランジスタを自動的にパルス作動させるための前記多位置スイッチを前記集積回路制御装置が形成している請求項１５に記載されたヘア・ドライヤー／ブロワー。
【請求項１７】
前記パワートランジスタおよび前記加熱部材の間に連結された電圧ステップアップ回路をさらに含み、
前記ゲート作動パルスが前記パワートランジスタへ付与されたときのみ前記電圧のステップアップを可能にするために、前記パルス回路出力が前記電圧ステップアップ回路に連結される請求項１２に記載されたヘア・ドライヤー／ブロワー。
【請求項１８】
前記電源が少なくとも１つの再充電可能バッテリーを含む請求項１に記載されたヘア・ドライヤー／ブロワー。
【請求項１９】
前記バッテリーが前記スイッチ制御装置に少なくとも１４ボルトを印加する請求項１８に記載されたヘア・ドライヤー／ブロワー。
【請求項２０】
前記少なくとも１つのバッテリーの充電のためにＤＣ電圧を印加するために、前記ベースに連結可能なＤＣ充電器を含む請求項１８に記載されたヘア・ドライヤー／ブロワー。
【請求項２１】
前記電源の一部を形成するＡＣ／ＤＣ整流回路をさらに含み、
前記少なくとも１つのバッテリーの充電のためにＤＣ電圧が発生されるようにするために、ＡＣ充電回路の出力を前記ＡＣ／ＤＣ整流器が受け入れる請求項１８に記載されたヘア・ドライヤー／ブロワー。
【請求項２２】
前記電源が１つの位置でのみ前記ハンドル部分に取付けできる請求項１に記載されたヘア・ドライヤー／ブロワー。
【請求項２３】
前記細長い中空本体の前端にて流体スプレーを選択的に供給できるようにする流体スプレー装置をさらに含む請求項１に記載されたヘア・ドライヤー／ブロワー。
【請求項２４】
前記流体スプレー装置が、
柔軟な流体容器と、
内部に流体を入れるための前記容器の開口と、
前記容器を前記ブロワー／ドライヤーのハンドルに取付けるために前記容器から延在したストラップと、
一端が少なくとも１つの容器開口に連結され、他端が前記細長い中空本体の形状に沿ってその前端へ延在しており、前記柔軟容器が圧潰されたときに流体を前記細長い中空本体の前端位置でスプレーする細長いチューブとを含んでいる請求項２３に記載されたヘア・ドライヤー／ブロワー。
【請求項２５】
前記流体スプレー装置が、
内部に加圧流体を有する容器を受入れるための前記ハンドル部分内の空間と、
前記ハンドル内空間から前記ブロワー／ドライヤーの前端へ延在する細長いチューブと、
受入れた容器を前記細長いチューブに連結するバルブと、
前記細長い本体の前端位置で流体を選択的にスプレーするために前記バルブを選択的に開閉する手動の発生手段とを含んでいる請求項２３に記載されたヘア・ドライヤー／ブロワー。
【請求項２６】
ブロワー・モータおよび加熱部材、後端、および前端を有する細長い中空本体部分と、
前記細長い本体部分から実質的に横方向へ延在する長手方向軸線を有し、前記加熱部材および前記ブロワー・モータを作動させるためのスイッチ制御装置を含むハンドル部分と、
前記ハンドル部分に取付けられる平坦な基台を有する電源であって、電力を前記スイッチ制御装置に供給し、前記平坦な基台がヘア・ドライヤー／ブロワーを自立させる構造体を構成している電源と、
前記細長い中空本体の前端に流体スプレーを選択的に供給することのできる流体スプレー装置と、
前記細長い中空本体部分に流入する空気量を調整するために、前記細長い中空本体部分の後端に調整可能な空気入口とを含むヘア・ドライヤー／ブロワー。
【請求項２７】
前記流体スプレー装置が、
柔軟な流体容器と、
内部に流体を入れるための前記容器の開口と、
前記容器をブロワー／ドライヤーの前記ハンドルに取付けるために前記容器から延在したストラップと、
一端が少なくとも１つの容器開口に連結され、他端が前記細長い中空本体の形状に沿ってその前端へ延在しており、前記柔軟容器が圧潰されたときに流体を前記細長い中空本体の前端位置でスプレーする細長いチューブとを含んでいる請求項２６に記載されたヘア・ドライヤー／ブロワー。
【請求項２８】
前記流体スプレー装置が、
内部に加圧流体を有する容器を受入れるための前記ハンドル部分内の空間と、
前記ハンドル内空間から前記ブロワー／ドライヤーの前端へ延在する細長いチューブと、
受入れた容器を前記細長いチューブに連結するバルブと、
前記細長い本体の前端位置で流体を選択的にスプレーするために前記バルブを選択的に開閉する手動の発生手段とを含んでいる請求項２６に記載されたヘア・ドライヤー／ブロワー。
【請求項２９】
携帯用のコードレスなヘア・ドライヤー／ブロワーであって、
質量中心線を有し、ブロワー・モータおよび加熱部材、後端、および前端を含む細長い中空の本体部分と、
前記細長い本体部分から実質的に横方向へ、前記質量中心線に沿って延在する長手方向軸線を有し、前記加熱部材および前記ブロワー・モータを作動させるためのスイッチ制御装置を含むハンドル部分と、
平坦な基台および質量中心線を有する電源であって、前記ハンドル部分の長手方向軸線に実質的に沿って、前記細長い中空本体部分の質量中心線に整合されて前記ハンドル部分に取付けられ、これにより電力を前記スイッチ制御装置に供給し、前記平坦な基台がヘア・ドライヤー／ブロワーを自立させる構造体を構成する前記電源と、
前記加熱部材と前記スイッチ制御装置との間に連結され、前記加熱部材に供給される加熱電流量の制御を可能にする加熱制御回路と、
前記加熱部材を最小時間内で所望温度に到達させるために前記加熱部材に最大加熱電流を供給するための回路とを含み、前記最大加熱電流を供給するための回路が、
加熱部材の温度を検出し、相当の電圧を発生するセンサーと、
前記検出電圧を基準電圧と比較し、第１の出力を与える比較器と、
前記第１の出力が与えられている間、前記加熱部材の加熱状態を高めるよ
うに最大電圧が連続的に前記加熱部材に印加されることを可能にするために
、前記比較器に連結されたベースを有するパワートランジスタとをさらに含
んでいる請求項１０に記載されたヘア・ドライヤー／ブロワー。
【請求項３０】
前記細長い中空本体部分に流入する空気量を調整するために、前記細長い中空本体部分の後端に調整可能な空気入口をさらに含む請求項２９に記載されたヘア・ドライヤー／ブロワー。
【請求項３１】
前記調整可能な空気入口が、
前記細長い中空本体部分に最小量の空気を流入させる相互の最小離間状態から、前記細長い中空本体部分に最大量の空気を流入させる相互の最大離間状態まで調整することのできる一連の平行羽根を含む請求項３０に記載されたヘア・ドライヤー／ブロワー。
【請求項３２】
前記所望温度に達した後に前記加熱部材を前記所望温度に保持するために、所定のオン／オフ比でゲート作動パルスを前記パワートランジスタへ供給するために前記パワートランジスタの前記ベースに連結されたパルス発生回路をさらに含む請求項３０に記載されたヘア・ドライヤー／ブロワー。
【請求項３３】
所望温度を保持するために前記加熱部材に電力が供給される所望のオン／オフ比を設定するための手動制御装置をさらに含む請求項３２に記載されたヘア・ドライヤー／ブロワー。
【請求項３４】
パルスを発生するオシレータ回路と、
前記オシレータのパルスを受取る回路と、
それぞれ特定カウント数に関して出力パルスを発生する、前記回路内の多重直列ステージと、
前記加熱部材の所望される温度を得るために前記加熱部材に供給された電力パルス比で前記パワートランジスタの前記所定のオン／オフ比を発生させるために、１つの回路ステージの出力パルスを前記パワートランジスタのベースに選択的に連結する多位置スイッチと、
所望のパルス比に前記スイッチを手動で位置決めする手段とをさらに含む請求項３３に記載されたヘア・ドライヤー／ブロワー。
【請求項３５】
前記加熱部材の前記所望温度を保持するために、前記パワートランジスタに選ばれた比のオン／オフ管理パルスを自動的に付与するパルス発生回路をさらに含む請求項３２に記載されたヘア・ドライヤー／ブロワー。
【請求項３６】
メモリーを有する集積回路制御装置と、
前記メモリーに保存された加熱部材温度対パルス比の関係を示す表とを含み、
前記加熱部材の熱センサーの発生電圧手段は前記集積回路制御装置に連結され、
選ばれた所望温度を保持するために、前記選ばれた比でオン／オフするように前記パワートランジスタを自動的にパルス作動させるための前記多位置スイッチを前記集積回路制御装置が形成している請求項３５に記載されたヘア・ドライヤー／ブロワー。
【請求項３７】
前記パワートランジスタおよび前記加熱部材の間に連結された電圧ステップアップ回路をさらに含み、
前記ゲート作動パルスが前記パワートランジスタへ付与されたときのみ前記電圧のステップアップを可能にするために、前記パルス回路出力が前記電圧ステップアップ回路に連結される請求項３２に記載されたヘア・ドライヤー／ブロワー。
【請求項３８】
前記細長い中空本体部分を流出する空気量を調整するために、前記細長い中空本体部分の前端に調整可能な空気出口をさらに含む請求項２９に記載されたヘア・ドライヤー／ブロワー。
【請求項３９】
前記調整可能な空気出口が、
最小位置から最大位置まで連続して寸法を変えることのできる開口を形成するために、前記細長い中空本体部分の前端に取付けられて相対的に移動可能な花弁状のペタル部分を有する絞り機構と、
前記絞り開口寸法を手動調整できるようにするために前記絞りペタルに連結された調整装置とを含む請求項３８に記載されたヘア・ドライヤー／ブロワー。
【請求項４０】
前記調整可能な空気出口が、
前記細長い中空本体部分の前端に、圧力嵌めで取付けられる内径寸法とされた少なくとも第１の部分と、
前記前端を超えて延在する第２の部分とを有する中空シリンダを含み、
前記中空シリンダの前記第２の部分の内側に前記調整可能な絞りが形成され、前記絞り調整装置は前記中空シリンダの前記第２の部分の外側に形成されて、前記調整装置を動かすことで前記絞りの開度を手動調整できる請求項３９に記載されたヘア・ドライヤー／ブロワー。
【請求項４１】
前記ブロワー・モータおよび前記加熱部材を選択的に付勢するために、前記スイッチ制御装置に連結されて制御される電気回路をさらに含む請求項２９に記載されたヘア・ドライヤー／ブロワー。
【請求項４２】
前記電気回路が、
前記加熱部材および前記ブロワーに対して同時に前記電源を電気的に接続するための少なくとも１つの第１のスイッチと、
前記ブロワー・ファンに対してのみ前記電源を電気的に連結するための少なくとも１つの第２のスイッチとを含む請求項４１に記載されたヘア・ドライヤー／ブロワー。
【請求項４３】
前記電源が少なくとも１つの再充電可能バッテリーを含む請求項２９に記載されたヘア・ドライヤー／ブロワー。
【請求項４４】
前記バッテリーが前記スイッチ制御装置に少なくとも１４ボルトを印加する請求項４３に記載されたヘア・ドライヤー／ブロワー。
【請求項４５】
前記少なくとも１つのバッテリーの充電のためにＤＣ電圧を印加するために、前記ベースに連結されたＤＣ充電器を含む請求項４３に記載されたヘア・ドライヤー／ブロワー。
【請求項４６】
前記電源の一部を形成するＡＣ／ＤＣ整流回路をさらに含み、
前記少なくとも１つのバッテリーの充電のためにＤＣ電圧が発生されるようにするために、ＡＣ充電回路の出力を前記ＡＣ／ＤＣ整流器が受け入れる請求項４３に記載されたヘア・ドライヤー／ブロワー。
【請求項４７】
前記電源が１つの位置でのみ前記ハンドル部分に取付けできる請求項２９に記載されたヘア・ドライヤー／ブロワー。
【請求項４８】
前記細長い中空本体の前端にて流体スプレーを選択的に供給できるようにする流体スプレー装置をさらに含む請求項２９に記載されたヘア・ドライヤー／ブロワー。
【請求項４９】
前記流体スプレー装置が、
柔軟な流体容器と、
内部に流体を入れるための前記容器の開口と、
前記容器を前記ブロワー／ドライヤーのハンドルに取付けるために前記容器から延在したストラップと、
一端が少なくとも１つの容器開口に連結され、他端が前記細長い中空本体の形状に沿ってその前端へ延在しており、前記柔軟容器が圧潰されたときに流体を前記細長い中空本体の前端位置でスプレーする細長いチューブとを含んでいる請求項４８に記載されたヘア・ドライヤー／ブロワー。
【請求項５０】
前記流体スプレー装置が、
内部に加圧流体を有する容器を受入れるための前記ハンドル部分内の空間と、
前記ハンドル内空間から前記ブロワー／ドライヤーの前端へ延在する細長いチューブと、
受入れた容器を前記細長いチューブに連結するバルブと、
前記細長い本体の前端位置で流体を選択的にスプレーするために前記バルブを選択的に開閉する手動の発生手段とを含んでいる請求項４８に記載されたヘア・ドライヤー／ブロワー。
【請求項５１】
ブロワー・モータおよび加熱部材、後端、および前端を有する細長い中空本体部分と、
前記細長い本体部分から実質的に横方向へ延在する長手方向軸線を有し、前記加熱部材および前記ブロワー・モータを作動させるためのスイッチ制御装置を含むハンドル部分と、
前記ハンドル部分に取付けられる平坦な基台を有する電源であって、電力を前記スイッチ制御装置に供給し、前記平坦な基台がヘア・ドライヤー／ブロワーを自立させる構造体を構成している電源と、
前記細長い中空本体の前端に流体スプレーを選択的に供給することのできる流体スプレー装置と、
前記加熱部材と前記スイッチ制御装置との間に連結され、前記加熱部材に供給される加熱電流量の制御を可能にする加熱制御回路と、
前記加熱部材を最小時間内で所望温度に到達させるために前記加熱部材に最大加熱電流を供給するための回路とを含み、前記最大加熱電流を供給するための回路が、
加熱部材の温度を検出し、相当の電圧を発生するセンサーと、
前記検出電圧を基準電圧と比較し、第１の出力を与える比較器と、
前記第１の出力が与えられている間、前記加熱部材の加熱状態を高めるよ
うに最大電圧が連続的に前記加熱部材に印加されることを可能にするために
、前記比較器に連結されたベースを有するパワートランジスタとをさらに含
んでいる携帯用のコードレスなヘア・ドライヤー／ブロワー。
【請求項５２】
前記流体スプレー装置が、
柔軟な流体容器と、
内部に流体を入れるための前記容器の開口と、
前記容器を前記ブロワー／ドライヤーのハンドルに取付けるために前記容器から延在したストラップと、
一端が少なくとも１つの容器開口に連結され、他端が前記細長い中空本体の形状に沿ってその前端へ延在しており、前記柔軟容器が圧潰されたときに流体を前記細長い中空本体の前端位置でスプレーする細長いチューブとを含んでいる請求項５１に記載されたヘア・ドライヤー／ブロワー。
【請求項５３】
前記流体スプレー装置が、
内部に加圧流体を有する容器を受入れるための前記ハンドル部分内の空間と、
前記ハンドル内空間から前記ブロワー／ドライヤーの前端へ延在する細長いチューブと、
受入れた容器を前記細長いチューブに連結するバルブと、
前記細長い本体の前端位置で流体を選択的にスプレーするために前記バルブを選択的に開閉する手動の発生手段とを含んでいる請求項５１に記載されたヘア・ドライヤー／ブロワー。
【請求項５４】
携帯用のコードレスなヘア・ドライヤー／ブロワーであって、
質量中心線を有し、ブロワー・モータおよび加熱部材、後端、および前端を含む細長い中空の本体部分と、
前記細長い本体部分から実質的に横方向へ、前記質量中心線に沿って延在する長手方向軸線を有し、前記加熱部材および前記ブロワー・モータを作動させるためのスイッチ制御装置を含むハンドル部分と、
平坦な基台および質量中心線を有する電源であって、前記ハンドル部分の長手方向軸線に実質的に沿って、前記細長い中空本体部分の質量中心線に整合されて前記ハンドル部分に取付けられ、これにより電力を前記スイッチ制御装置に供給し、前記平坦な基台がヘア・ドライヤー／ブロワーを自立させる構造体を構成する前記電源と、
流体スプレー装置とを含み、流体スプレー装置は、
柔軟な流体容器と、
内部に流体を入れるための前記容器の開口と、
前記容器を前記ブロワー／ドライヤーのハンドルに取付けるために前記容
器から延在したストラップと、
一端が少なくとも１つの容器開口に連結され、他端が前記細長い中空本体
の形状に沿ってその前端へ延在しており、前記柔軟容器が圧潰されたときに
流体を前記細長い中空本体の前端位置でスプレーする細長いチューブとを含
んでいる携帯用のコードレスなヘア・ドライヤー／ブロワー。
【請求項５５】
前記細長い中空本体部分に流入する空気量を調整するために、前記細長い中空本体部分の後端に調整可能な空気入口をさらに含む請求項５４に記載されたヘア・ドライヤー／ブロワー。
【請求項５６】
前記調整可能な空気入口が、
前記細長い中空本体部分に最小量の空気を流入させる相互の最小離間状態から、前記細長い中空本体部分に最大量の空気を流入させる相互の最大離間状態まで調整することのできる一連の平行羽根を含む請求項５５に記載されたヘア・ドライヤー／ブロワー。
【請求項５７】
前記細長い中空本体部分を流出する空気量を調整するために、前記細長い中空本体部分の前端に調整可能な空気出口をさらに含む請求項５４に記載されたヘア・ドライヤー／ブロワー。
【請求項５８】
前記調整可能な空気出口が、
最小位置から最大位置まで連続して寸法を変えることのできる開口を形成するために、前記細長い中空本体部分の前端に取付けられて相対的に移動可能な花弁状のペタル部分を有する絞り機構と、
前記絞り開口寸法を手動調整できるようにするために前記絞りペタルに連結された調整装置とを含む請求項５７に記載されたヘア・ドライヤー／ブロワー。
【請求項５９】
前記調整可能な空気出口が、
前記細長い中空本体部分の前端に、圧力嵌めで取付けられる内径寸法とされた少なくとも第１の部分と、
前記前端を超えて延在する第２の部分とを有する中空シリンダを含み、
前記中空シリンダの前記第２の部分の内側に前記調整可能な絞りが形成され、前記絞り調整装置は前記中空シリンダの前記第２の部分の外側に形成されて、前記調整装置を動かすことで前記絞りの開度を手動調整できる請求項５８に記載されたヘア・ドライヤー／ブロワー。
【請求項６０】
前記ブロワー・モータおよび前記加熱部材を選択的に付勢するために、前記スイッチ制御装置に連結されて制御される電気回路をさらに含む請求項５４に記載されたヘア・ドライヤー／ブロワー。
【請求項６１】
前記電気回路が、
前記加熱部材および前記ブロワーに対して同時に前記電源を電気的に接続するための少なくとも１つの第１のスイッチと、
前記ブロワー・ファンに対してのみ前記電源を電気的に連結するための少なくとも１つの第２のスイッチとを含む請求項６０に記載されたヘア・ドライヤー／ブロワー。
【請求項６２】
前記加熱部材と、前記加熱部材に与えられる加熱電流量の制御を可能にする前記スイッチ制御装置との間に接続された加熱制御回路をさらに含む請求項５４に記載されたヘア・ドライヤー／ブロワー。
【請求項６３】
前記加熱部材を最小時間内で所望温度に到達させるために前記加熱部材に最大加熱電流を供給するための回路をさらに含む請求項６２に記載されたヘア・ドライヤー／ブロワー。
【請求項６４】
最大電流を供給する前記回路が、
加熱部材の温度を検出し、相当の電圧を発生するセンサーと、
前記検出電圧を基準電圧と比較し、第１の出力を与える比較器と、
前記第１の出力が与えられている間、前記加熱部材の加熱状態を高めるように最大電圧が連続的に前記加熱部材に印加されることを可能にするために、前記比較器に連結されたベースを有するパワートランジスタとを含む請求項６３に記載されたヘア・ドライヤー／ブロワー。
【請求項６５】
前記所望温度に達した後に前記加熱部材を前記所望温度に保持するために、所定のオン／オフ比でゲート作動パルスを前記パワートランジスタへ供給するために前記パワートランジスタの前記ベースに連結されたパルス発生回路をさらに含む請求項６４に記載されたヘア・ドライヤー／ブロワー。
【請求項６６】
所望温度を保持するために前記加熱部材に電力が供給される所望のオン／オフ比を設定するための手動制御装置をさらに含む請求項６５に記載されたヘア・ドライヤー／ブロワー。
【請求項６７】
パルスを発生するオシレータ回路と、
前記オシレータのパルスを受取る回路と、
それぞれ特定カウント数に関して出力パルスを発生する、前記回路内の多重直列ステージと、
前記加熱部材の所望される温度を得るために前記加熱部材に供給された電力パルス比で前記パワートランジスタの前記所定のオン／オフ比を発生させるために、１つの回路ステージの出力パルスを前記パワートランジスタのベースに選択的に連結する多位置スイッチと、
所望のパルス比に前記スイッチを手動で位置決めする手段とをさらに含む請求項６６に記載されたヘア・ドライヤー／ブロワー。
【請求項６８】
前記加熱部材の前記所望温度を保持するために、前記パワートランジスタに選ばれた比のオン／オフ管理パルスを自動的に付与するパルス発生回路をさらに含む請求項６５に記載されたヘア・ドライヤー／ブロワー。
【請求項６９】
メモリーを有する集積回路制御装置と、
前記メモリーに保存された加熱部材温度対パルス比の関係を示す表とを含み、
前記加熱部材の熱センサーの発生電圧手段は前記集積回路制御装置に連結され、
選ばれた所望温度を保持するために、前記選ばれた比でオン／オフするように前記パワートランジスタを自動的にパルス作動させるための前記多位置スイッチを前記集積回路制御装置が形成している請求項６８に記載されたヘア・ドライヤー／ブロワー。
【請求項７０】
前記パワートランジスタおよび前記加熱部材の間に連結された電圧ステップアップ回路をさらに含み、
前記ゲート作動パルスが前記パワートランジスタへ付与されたときのみ前記電圧のステップアップを可能にするために、前記パルス回路出力が前記電圧ステップアップ回路に連結される請求項６５に記載されたヘア・ドライヤー／ブロワー。
【請求項７１】
前記電源が少なくとも１つの再充電可能バッテリーを含む請求項５４に記載されたヘア・ドライヤー／ブロワー。
【請求項７２】
前記バッテリーが前記スイッチ制御装置に少なくとも１４ボルトを印加する請求項７１に記載されたヘア・ドライヤー／ブロワー。
【請求項７３】
前記少なくとも１つのバッテリーの充電のためにＤＣ電圧を印加するために、前記ベースに連結可能なＤＣ充電器を含む請求項７１に記載されたヘア・ドライヤー／ブロワー。
【請求項７４】
前記電源の一部を形成するＡＣ／ＤＣ整流回路をさらに含み、
前記少なくとも１つのバッテリーの充電のためにＤＣ電圧が発生されるようにするために、ＡＣ充電回路の出力を前記ＡＣ／ＤＣ整流器が受け入れる請求項７２に記載されたヘア・ドライヤー／ブロワー。
【請求項７５】
前記電源が１つの位置でのみ前記ハンドル部分に取付けできる請求項５５に記載されたヘア・ドライヤー／ブロワー。
【請求項７６】
ブロワー・モータおよび加熱部材、後端、および前端を有する細長い中空本体部分と、
前記細長い本体部分から実質的に横方向へ延在する長手方向軸線を有し、前記加熱部材および前記ブロワー・モータを作動させるためのスイッチ制御装置を含むハンドル部分と、
前記ハンドル部分に取付けられる平坦な基台を有する電源であって、電力を前記スイッチ制御装置に供給し、前記平坦な基台がヘア・ドライヤー／ブロワーを自立させる構造体を構成している電源と、
前記細長い中空本体の前端に流体スプレーを選択的に供給することのできる流体スプレー装置とを含み、前記流体スプレー装置が、
柔軟な流体容器と、
内部に流体を入れるための前記容器の開口と、
前記容器を前記ブロワー／ドライヤーのハンドルに取付けるために前記容器から延在したストラップと、
一端が少なくとも１つの容器開口に連結され、他端が前記細長い中空本体の形状に沿ってその前端へ延在しており、前記柔軟容器が圧潰されたときに流体を前記細長い中空本体の前端位置でスプレーする細長いチューブとを含んでいるヘア・ドライヤー／ブロワー。
【請求項７７】
携帯用のコードレスなヘア・ドライヤー／ブロワーであって、
質量中心線を有し、ブロワー・モータおよび加熱部材、後端、および前端を含む細長い中空の本体部分と、
前記細長い本体部分から実質的に横方向へ、前記質量中心線に沿って延在する長手方向軸線を有し、前記加熱部材および前記ブロワー・モータを作動させるためのスイッチ制御装置を含むハンドル部分と、
平坦な基台および質量中心線を有する電源であって、前記ハンドル部分の長手方向軸線に実質的に沿って、前記細長い中空本体部分の質量中心線に整合されて前記ハンドル部分に取付けられ、これにより電力を前記スイッチ制御装置に供給し、前記平坦な基台がヘア・ドライヤー／ブロワーを自立させる構造体を構成する前記電源と、
流体スプレー装置とを含み、流体スプレー装置が、
内部に加圧流体を有する容器を受入れるための前記ハンドル部分内の空間
と、
ハンドル内空間から前記ブロワー／ドライヤーの前端へ延在する細長いチ
ューブと、
受入れた容器を前記細長いチューブに連結するバルブと、
前記細長い本体の前端位置で流体を選択的にスプレーするために前記バル
ブを選択的に開閉する手動の発生手段とを含んでいる請求項２３に記載され
たヘア・ドライヤー／ブロワー。
【請求項７８】
前記細長い中空本体部分に流入する空気量を調整するために、前記細長い中空本体部分の後端に調整可能な空気入口をさらに含む請求項７７に記載されたヘア・ドライヤー／ブロワー。
【請求項７９】
前記調整可能な空気入口が、
前記細長い中空本体部分に最小量の空気を流入させる相互の最小離間状態から、前記細長い中空本体部分に最大量の空気を流入させる相互の最大離間状態まで調整することのできる一連の平行羽根を含む請求項７８に記載されたヘア・ドライヤー／ブロワー。
【請求項８０】
前記細長い中空本体部分を流出する空気量を調整するために、前記細長い中空本体部分の前端の調整可能な空気出口をさらに含む請求項７７に記載されたヘア・ドライヤー／ブロワー。
【請求項８１】
前記調整可能な空気出口が、
最小位置から最大位置まで連続して寸法を変えることのできる開口を形成するために、前記細長い中空本体部分の前端に取付けられて相対的に移動可能な花弁状のペタル部分を有する絞り機構と、
前記絞り開口寸法を手動調整できるようにするために前記絞りペタルに連結された調整装置とを含む請求項８０に記載されたヘア・ドライヤー／ブロワー。
【請求項８２】
前記調整可能な空気出口が、
前記細長い中空本体部分の前端に、圧力嵌めで取付けられる内径寸法とされた少なくとも第１の部分と、
前記前端を超えて延在する第２の部分とを有する中空シリンダを含み、
前記中空シリンダの前記第２の部分の内側に前記調整可能な絞りが形成され、前記絞り調整装置は前記中空シリンダの前記第２の部分の外側に形成されて、前記調整装置を動かすことで前記絞りの開度を手動調整できる請求項８１に記載されたヘア・ドライヤー／ブロワー。
【請求項８３】
前記ブロワー・モータおよび前記加熱部材を選択的に付勢するために、前記スイッチ制御装置に連結されて制御される電気回路をさらに含む請求項７７に記載されたヘア・ドライヤー／ブロワー。
【請求項８４】
前記電気回路が、
前記加熱部材および前記ブロワーに対して同時に前記電源を電気的に接続するための少なくとも１つの第１のスイッチと、
前記ブロワー・ファンに対してのみ前記電源を電気的に連結するための少なくとも１つの第２のスイッチとを含む請求項８３に記載されたヘア・ドライヤー／ブロワー。
【請求項８５】
前記加熱部材と、前記加熱部材に与えられる加熱電流量の制御を可能にする前記スイッチ制御装置との間に接続された加熱制御回路をさらに含む請求項７７に記載されたヘア・ドライヤー／ブロワー。
【請求項８６】
前記加熱部材を最小時間内で所望温度に到達させるために前記加熱部材に最大加熱電流を供給するための回路をさらに含む請求項８５に記載されたヘア・ドライヤー／ブロワー。
【請求項８７】
最大電流を供給する前記回路が、
加熱部材の温度を検出し、相当の電圧を発生するセンサーと、
前記検出電圧を基準電圧と比較し、第１の出力を与える比較器と、
前記第１の出力が与えられている間、前記加熱部材の加熱状態を高めるように最大電圧が連続的に前記加熱部材に印加されることを可能にするために、前記比較器に連結されたベースを有するパワートランジスタとを含む請求項８６に記載されたヘア・ドライヤー／ブロワー。
【請求項８８】
前記所望温度に達した後に前記加熱部材を前記所望温度に保持するために、所定のオン／オフ比でゲート作動パルスを前記パワートランジスタへ供給するために前記パワートランジスタの前記ベースに連結されたパルス発生回路をさらに含む請求項８７に記載されたヘア・ドライヤー／ブロワー。
【請求項８９】
所望温度を保持するために前記加熱部材に電力が供給される所望のオン／オフ比を設定するための手動制御装置をさらに含む請求項８８に記載されたヘア・ドライヤー／ブロワー。
【請求項９０】
パルスを発生するオシレータ回路と、
前記オシレータのパルスを受取る回路と、
それぞれ特定カウント数に関して出力パルスを発生する、前記回路内の多重直列ステージと、
前記加熱部材の所望される温度を得るために前記加熱部材に供給された電力パルス比で前記パワートランジスタの前記所定のオン／オフ比を発生させるために、１つの回路ステージの出力パルスを前記パワートランジスタのベースに選択的に連結する多位置スイッチと、
所望のパルス比に前記スイッチを手動で位置決めする手段とをさらに含む請求項８９に記載されたヘア・ドライヤー／ブロワー。
【請求項９１】
前記加熱部材の前記所望温度を保持するために、前記パワートランジスタに選ばれた比のオン／オフ管理パルスを自動的に付与するパルス発生回路をさらに含む請求項８８に記載されたヘア・ドライヤー／ブロワー。
【請求項９２】
メモリーを有する集積回路制御装置と、
前記メモリーに保存された加熱部材温度対パルス比の関係を示す表とを含み、
前記加熱部材の熱センサーの発生電圧手段が前記集積回路制御装置に連結され、
選ばれた所望温度を保持するために、前記選ばれた比でオン／オフするように前記パワートランジスタを自動的にパルス作動させるための前記多位置スイッチを前記集積回路制御装置が形成している請求項９１に記載されたヘア・ドライヤー／ブロワー。
【請求項９３】
前記パワートランジスタおよび前記加熱部材の間に連結された電圧ステップアップ回路をさらに含み、
前記ゲート作動パルスが前記パワートランジスタへ付与されたときのみ前記電圧のステップアップを可能にするために、前記パルス回路出力が前記電圧ステップアップ回路に連結される請求項８８に記載されたヘア・ドライヤー／ブロワー。
【請求項９４】
前記電源が少なくとも１つの再充電可能バッテリーを含む請求項７７に記載されたヘア・ドライヤー／ブロワー。
【請求項９５】
前記バッテリーが前記スイッチ制御装置に少なくとも１４ボルトを印加する請求項９４に記載されたヘア・ドライヤー／ブロワー。
【請求項９６】
前記少なくとも１つのバッテリーの充電のためにＤＣ電圧を印加するために、前記ベースに連結可能なＤＣ充電器を含む請求項９４に記載されたヘア・ドライヤー／ブロワー。
【請求項９７】
前記電源の一部を形成するＡＣ／ＤＣ整流回路をさらに含み、
前記少なくとも１つのバッテリーの充電のためにＤＣ電圧が発生されるようにするために、ＡＣ充電回路の出力を前記ＡＣ／ＤＣ整流器が受け入れる請求項９４に記載されたヘア・ドライヤー／ブロワー。
【請求項９８】
前記電源が１つの位置でのみ前記ハンドル部分に取付けできる請求項７７に記載されたヘア・ドライヤー／ブロワー。
【請求項９９】
携帯用のコードレスなヘア・ドライヤー／ブロワーであって、
ブロワー・モータおよび加熱部材、後端、および前端を含む細長い中空の本体部分と、
前記細長い本体部分から実質的に横方向へ延在する長手方向軸線を有し、前記加熱部材および前記ブロワー・モータを作動させるためのスイッチ制御装置を含むハンドル部分と、
平坦な基台を有し、前記ハンドル部分に取付けられて電力を前記スイッチ制御装置に供給し、前記平坦な基台がヘア・ドライヤー／ブロワーを自立させる構造体を構成する電源と、
前記細長い中空本体の前端に流体スプレーを選択的に供給できる流体スプレー装置とを含み、前記流体スプレー装置が、
内部に加圧流体を有する容器を受入れるための前記ハンドル部分内の空間
と、
ハンドル内空間から前記ブロワー／ドライヤーの前端へ延在する細長いチ
ューブと、
受入れた容器を前記細長いチューブに連結するバルブと、
前記バルブを選択的に開閉する手動の発生手段とを含んでいるヘア・ドラ
イヤー／ブロワー。
【国際調査報告】
2004508120.tif 000038